(57)【要約】【課題】コンクリート基礎にアンカーホール（凹陥部）を容易に短時間に形成できる治具とする。【解決手段】均しコンクリート20に固定される固定部材4と、固定部材4に取付けるセパレータ2と、セパレータ2の上ねじ部10にねじ合する筒状体1を備えた治具であり、固定部材4、セパレータ2、筒状体1を取付けることで筒状体1を位置決めして動くことがないように短時間に取付けできるし、コンクリート基礎打設後に筒状体1を抜き出してアンカーホールを形成できる。  これによって、コンクリート基礎にアンカーホールを短時間に形成できる。【選択図】図１
2005248456.tif 000002
【特許請求の範囲】
【請求項１】
コンクリート基礎23を打設する際に、そのコンクリート基礎23に凹陥部を形成する凹陥部形成用治具であって、
前記コンクリート基礎23を打設する際に、そのコンクリート基礎23の底部寄りに固定される固定部材4と、
この固定部材4に取付けられるセパレータ2と、
このセパレータ2の上部に、高さ調整可能で着脱自在に取付けられる凹陥部形成部材から成ることを特徴とする凹陥部形成用治具。
【請求項２】
凹陥部形成部材はコンクリート基礎打設後に抜き出し可能である請求項１記載の凹陥部形成用治具。
【発明の詳細な説明】
【技術分野】
【０００１】
本発明は、建物、工作物等を固定するアンカーボルトを埋込んだり、支柱を建柱するアンカーホールや、排水用溝、排水用集水ピット等の凹陥部をコンクリート基礎に形成する治具に関する。
【背景技術】
【０００２】
建物、工作物を建造するには、まずコンクリート基礎を打設する。このコンクリート基礎を打設する際に治具を用いてアンカーホールを形成する。
このアンカーホールにカンカーボルトを埋込み、このアンカーボルトを利用して建物、工作物を固定するのが一般的である。
【０００３】
前述のアンカーホールを形成するための治具は、一般的に、スチール製のパイプを所定長さに切断した筒状体と、この筒状体の下部開口を閉塞する底板と、筒状体の上部開口を閉塞する着脱自在な上蓋から成るものが一般的である。
【０００４】
また、排水用溝、排水用集水ピットなどを現場打ちで施工する場合には、溝形成用型枠部材、取水ピット形成用型枠部材を施工現場等に設置し、コンクリートを打設している。
【発明の開示】
【発明が解決しようとする課題】
【０００５】
前述の治具を用いてアンカーホールを形成するには、その筒状体を所定位置に位置決めすること、流し込んだコンクリートの流れで動かないこと、流し込んだコンクリートによる浮力で上に移動しないこと等が要求される。
このために、コンクリート基礎を打設する際に筒状体を鉄筋に結束線で固定している。
【０００６】
例えば、次の手順でコンクリート基礎を打設してアンカーホールを形成する。
（１）地面に均しコンクリートを打設し、この均しコンクリートの表面にアンカーの設置位置を墨出しする。
（２）均しコンクリートの上に下鉄筋、上鉄筋を組立てる。
（３）前記墨出しを基準として上鉄筋にアンカー位置（前後・左右）を下げぶりで出す。
（４）上鉄筋にアンカー位置を基準として筒状体取付用の前後方向に向う一対の補助鉄筋と左右方向に向う一対の補助鉄筋を井桁状に溶接する。
（５）前記4本の補助鉄筋で囲まれた空間に筒状体を設け、高さを確認すると共に、水準器で垂直を出して後に筒状体を4本の補助鉄筋に溶接する。
（６）コンクリートを流入してコンクリート基礎を打設する。
（７）筒状体の上蓋を外し、その筒状体のコンクリート基礎表面から突出している筒状体上部分を切断してコンクリート基礎表面と面一とする。
（８）上蓋を取付ける。
【０００７】
前述の筒状体、底板、上蓋から成る治具は、前述の（3），（4），（5）のようにして上鉄筋に固着するので、その作業が面倒で時間がかかりコンクリート基礎の打設作業効率が悪い。
【０００８】
また、前述の溝形成用型枠部材、集水ピット形成用型枠部材を設置する作業も、前述の治具を設置する作業と同様に面倒で時間がかかる。
すなわち、前述の治具、溝形成用型枠部材、集水ピット形成用型枠部材などの凹陥部をコンクリート基礎に形成する治具を設置する作業は面倒で時間がかかる。
【０００９】
そこで、本発明は前述の課題を解決できるようにした凹陥部形成用治具を提供することを目的とする。
【課題を解決するための手段】
【００１０】
本発明は、コンクリート基礎23を打設する際に、そのコンクリート基礎23に凹陥部を形成する凹陥部形成用治具であって、
前記コンクリート基礎23を打設する際に、そのコンクリート基礎23の底部寄りに固定される固定部材4と、
この固定部材4に取付けられるセパレータ2と、
このセパレータ2の上部に、高さ調整可能で着脱自在に取付けられた凹陥部形成部材から成ることを特徴とする凹陥部形成用治具である。
【００１１】
前記凹陥部形成部材はコンクリート基礎打設後に抜き出し可能であることが好ましい。このようにすれば再利用できる。
【００１２】
前記コンクリート基礎23の底部寄りは、均しコンクリート20、ベースコンクリート、型枠などである。前記固定部材4は打ち込み、接着剤、溶接等で固定されている。
セパレータ2と凹陥部形成部材はねじによって取付けられ、そのねじ込み程度を変えることで高さが調整できる。
【発明の効果】
【００１３】
本発明によれば、凹陥部形成部材はセパレータ2を介して固定部材4で支持されるので、流し込んだコンクリートの流れで凹陥部形成部材が動くことがないと共に、流し込んだコンクリートによる浮力で上に移動することもない。
しかも、固定部材4を所定位置に固定することで凹陥部形成部材を所定位置に支持できる。
【００１４】
このようであるから、固定部材4の固定作業、セパレータ2の取付け作業、凹陥部形成部材の取付け作業で凹陥部形成部材を所定位置に位置決めして動くことないように簡単に短時間で取付けでき、コンクリート基礎の打設作業効率を低下させることがない。
【００１５】
凹陥部形成部材の高さを調整することでコンクリート基礎の表面に合わせることができる。
【発明を実施するための最良の形態】
【００１６】
図1に示すように、筒状体1とセパレータ2とナット3と固定部材4と上蓋5で治具を形成している。この実施の形態ではアンカーホールを形成する治具を示している。
前記筒状体1は、上面が開口し下面が底板6で閉塞した円筒形状で、その外周面1aは抜け易いようにテーバー形状で、かつ螺旋状突起7が一体的に設けてあると共に、内周面1bもテーバー形状である。筒状体1は下部寄りが厚肉で、上部寄りが薄肉である。
前記底板6の上面（筒状体1の底面）にナット8が固着してあると共に、そのナット8と同心状にねじ孔9が形成してある。このねじ孔9は底板6の下面に開口している。
前記セパレータ2はロツド形状で、上ねじ部10と下ねじ部11を有し、その上ねじ部10は前記ねじ孔9にねじ合する。上、下ねじ部10,11にナット3がそれぞれねじ合する。
【００１７】
前記固定部材4は、ねじ穴12を有する本体13と、この本体13の下部に一体的に設けた複数の変形部14を有する形状で、そのねじ穴12にセパレータ2の下ねじ部11がねじ合する。
前記上蓋5は、上面に十文字状のつまみ部15を有すると共に、外周面に螺旋状の突起16を有する。この突起16を筒状体1の内周面1b上部寄りに形成した螺旋状の溝17に螺合することで取付けられる。
前記筒状体1、上蓋5は樹脂製で、セパレータ2、ナット3、固定部材4は金属製である。
【００１８】
前述の治具を用いてアンカーホールを形成する手順を説明する。
図2（a）に示すように、均しコンクリート20の表面にアンカーホールの位置を墨出し21する。
図2（b）に示すように、墨出し21のセンターにハンマードリル等で穴22を開ける。
図2（c）に示すように、各穴22に固定部材4を入れてハンマーで打撃することで変形部14を変形して固定部材4を固定する。
【００１９】
図3（a）に示すように、固定部材4のねじ穴12にセパレータ2の下ねじ部11をねじ合し、ナット3を締付けて回り止めすることでセパレータ2を図3（b）に示すように固定部材4に固定する。
【００２０】
図4に示すように、セパレータ2の上ねじ部10に筒状体1のねじ孔9をねじ合して取付け、そのねじ合の程度によって筒状体1の高さを調整し、その上端面1cをコンクリート基礎23の表面に合わせる。
【００２１】
図5と図6に示すように、上鉄筋24と下鉄筋25を組立てる。
上鉄筋24に振れ止め金物26を結束線27で固定する。この振れ止め金物26は、ほぼu字形状で筒状体1の外周面1aと沿う一対の円弧状部26aを有する形状で、筒状体1の外周面1aを隙間を置いて囲む。なお、上蓋５を支持するようにしても良い。
これにより、コンクリートを流し込んだ時にコンクリートの流れで筒状体1が大きく振れ動くこと防止できる。
なお、コンクリートポンプ車でコンクリートを流し込む時に上鉄筋24にホース又は人が乗って上下にゆさぶられるので、上蓋5に水平器を当てて水平度を確実とすることで中心よりの垂直を出す。
【００２２】
図7に示すように、コンクリート打設後に上蓋を外して通り心の墨出し28をし、上蓋5を取り付ける。
【００２３】
上蓋5を外し、ナット8に工具を掛けて筒状体1を回転させることでコンクリート基礎23から筒状体1を抜く。
これによって、図8に示すようにコンクリート基礎23にアンカーホール29が形成される。
このアンカーホール29は図8に示すように、内周面29aに螺旋状溝30を有するので、アンカーボルト31を挿入してモルタル等を注入して固定した時に、螺旋状溝30にモルタル等が入り込み、アンカーボルト31がモルタル等とともに抜けにくい。
したがって、アンカーボルト31にナットをねじ合して建物、工作物を強固に取付けできる。
【００２４】
治具の第2の実施の形態を説明する。
図9に示すように、ねじ穴32を有する本体33をベースプレート34に溶接などで固着して固定部材4としてある。
他の部材は第1の実施の形態と同一である。
【００２５】
この場合には固定部材4の固定が前述と異なる。例えば図10に示すように、ベースプレート34を均しコンクリート20の表面に、アンカーホールの墨出し21を基準として本体33が墨出し21のセンターに位置するように置き、ベースプレート34を釘35で固定する。
【００２６】
鉄筋の組立図を見て確認しながら、図11に示すようにベースプレート34にモルタル製のスペーサ36を、下鉄筋25が当たるように置き、そのスペーサ36に下鉄筋25を載置して組立てる。
この後にアンカーホールの形成手段は前述の第1の実施の形態と同様である。
なお、図12、図13に示すようにベースプレート34にスペーサの代わりとなる下向きコ字状の受部材（馬鉄筋）36を設けても良い。
【００２７】
次に本発明の第3の実施の形態を説明する。
図14に示すように、筒状体1の内周面1bを多角形状とし、引抜きレンチ40を内周面1bに嵌合して回転することで筒状体1を引き抜くようにしてある。
前記引き抜きレンチ40は多角柱形状の本体41にハンドル42を設けた形状である。
この場合には、筒状体1の底板6下面に突起部6aを一体的に設け、その突起部6aにねじ孔9を形成する。
【００２８】
次に、前記固定部材4を均しコンクリート20に固定する他の実施の形態を説明する。
図15（a）に示すようにベースプレート34を接着剤37で均しコンクリート20の表面に接着して固定する。
図15（b）に示すように、本体33のねじ穴32にボルト38をねじ合じて固定部材4とし、そのボルト38を均しコンクリート20の穴22内に入れて接着剤37で固定する。
【００２９】
前記固定部材4は均しコンクリート20ではなくベースコンクリートに固定することもできる。
また、均しコンクリート、ベースコンクリート以外にも配筋に固定しても良い。
例えば、図16に示すように、型枠50を連結するセパレータ51に溶接等で固定する。52は鉄筋である。
【００３０】
以上の実施の形態では筒状体1の螺旋状突起7のねじ作用を利用して抜き出すようにしたが、簡状体1の外周面1aを平坦面として引張ることで抜くようにしても良い。
例えば、図17、図18、図19に示すように、筒状体1の底板6にテーパ穴60を形成すると共に、引上げ用穴61を形成する。
受皿ナット62のテーパ部62aをテーパ穴60に炭合し、セパレータ2の上ねじ部10を受皿ナット62のねじ孔63にねじ合して筒状体1の内部に突出させ、その突出した上ねじ部10に押さえナット64をねじ合してセパレータ2に筒状体1を連結する。
【００３１】
この場合にはコンクリートを流してコンクリート基礎を打設した後に上蓋5を外し、押さえナット64を弛める。
手かぎなどの引上げ工具を引上げ用穴61に係止して筒状体1を引き上げて抜き出し、図20に示すように、内周面29aに凹凸のないアンカーホール29を形成する。
このアンカーホール29は大きな引抜力が作用しない支柱65の建柱用として用いられる。
【００３２】
前述のように引き上げて抜出す筒状体1の場合には、その筒状体1の横断面形状は円形に限らず、正方形、長方形、楕円形などの任意の形状とすることが可能である。
【００３３】
次に本発明の第4実施形態を図21と図22に基づいて説明する。
前記セパレータ2の上ねじ部10が挿通する筒70に複数の支持脚71の上端部71aを固着する。この各支持脚71の下端寄りを囲むようにリング状の連結筋72を固着して触れ止め具73を形成する。
前記各支持脚71の下端部71bは尖端形状で、筒70の中心を中心とするる仮想円74に周方向に等間隔で位置している。
【００３４】
前記振れ止め具73は図23に示すようにセパレータ2の上ねじ部10に挿通され、各支持脚71の下端部71bが均しコンクリート20に接するようにロックナット75で固定される。
【００３５】
このようにすることで、セパレータ2が均しコンクリート20に安定して支持されるから、筒状体1を前述のように上鉄筋24に固定せずに流し込んだコンクリートで動くことがないようにできる。
【００３６】
前述の筒状体１を、筒体に底板６を着脱自在とし、コンクリートを流し込んだ後に底板６はセパレータ２とともに埋設したままとし、筒体のみを抜き出すようにしても良い。
例えば、図２４に示すように、筒状体１を筒体８０と底板６を備えたものとし、その底板６の下面における孔６ａの周縁部にナット８を固着し、そのねじ孔９と孔６ａを連続させる。
前記底板６の上面に振れ止め用の枠８１を固着し、この枠８１に筒体８０が密嵌して底板６の上面に接する。
上蓋５を、上板８２と下板８３を有するものとし、その上板８２の孔８２ａ、下板８３の孔８３ａからボルト８４をナット８のねじ孔９を螺合して頭部８４ａを下板８３に押しつけることで、上板８２を筒体８０の上部に接して筒体８０を底板６に取付ける。
前記ボルト８４を弛めることで上蓋５とともに筒体８０を取り外しできる。
【００３７】
このようにすれば、筒体８０のみを抜き出しするので、その抜き出しが容易である。
【００３８】
前述の枠８１の内周に筒体８０を密嵌しても良い。
また、筒体８０を底壁を有する形状とし、その底壁をボルト８４でナット８に螺合し、上蓋５は別として筒体８０を底板６に取付けるようにしても良い。この場合には、底板６が筒体８０よりも大きいことが必要である。
このようにすれば、筒体８０が底壁を有するが、その底壁は底板６と接してコンクリートとは接していないので、底壁を有しない筒体８０と同様に容易に抜け出しできる。
【００３９】
なお、前述の筒状体１を底板６とともに抜き出す場合には、底板６と筒体８０を溶接で固着したり、ビスで固着したりすれば良い。
また、前述の筒体８０、底板６は円形に限らず矩形状であっても良い。
【００４０】
また、筒状体１を埋設したままとし、その筒状体１自体をアンカーホールとするようにしても良い。
この場合には、筒状体１を上部が小径で下部が大径となるテーパー形状としたり、外周面に突起を設けたりして、筒状体１が抜け出し難くすることが好ましい。
例えば、図２５に示すように、上部が小径で下部が大径のテーパー形状で、外周面に突起８５を有する筒状体１とする。
【００４１】
次に、排水用溝を形成する治具について説明する。
この場合の治具は、セパレータ２、ナット３、固定部材４は前述と同様で、筒状体１の代わりに図２６に示す溝形成用型枠部材９０を用いる。
前記溝形成用型枠部材９０は、前述のセパレータ２に取付ける受け部材９１と型枠９２をボルト９３で着脱自在に連結したものである。
前記受け部材９１は、上向コ字状の本体９１ａの底面にナット９１ｂを固着したものである。このナット９１ｂにセパレータ２の上ねじ部１０が螺合される。
前記型枠９２は上向コ字状の長尺材で、受け部材９１に嵌め込んで取付けられ、その底面からボルト９３をナット９１ｂに螺合して固定される。
【００４２】
この場合には、図２７に示すように、複数の受け材９１をセパレータ２、ナット３、固定部材４で所定の間隔を置いて並設し、その複数の受け材９１に跨って型枠９２を取付ける。
なお、受け部材９１と型枠９２は取り外しても良いし、埋設したままでも良い。
【００４３】
次に、排水用集水ピットを形成する治具について説明する。
この場合には、セパレータ２、ナット３、固定部材４は前述と同様で、筒状体１の代わりに図２８に示す集水ピット形成用型枠部材９５を用いる。
この部材は、取付板９６に型枠９７をボルト９８で取付けたもので、その取付板９６は底面にナット９６ａを有し、そのナット９６ａにボルト９８を螺合すると共に、セパレータ２の上ねじ部１０を螺合する。
この場合には、取付板９６と型枠９７は埋設したままでも、取り外しても良い。
【００４４】
つまり、筒状体１、溝形成用型枠部材９０、集水ピット形成用型枠部材９５が本発明における凹陥部を形成する部材である。
【００４５】
前述の筒状体１の他の実施の形態を説明する。
図２９と図３０に示すように、パイプ１００の外周に複数の目地棒１０１をリング形状に設け、その複数の目地棒１０１を弾性バンド１０２で保持して筒体８０とする。
前記目地棒１０１は、高度の剥離性をもち、コンクリートが付着しづらい材質、例えば合成木、ポリスチレン樹脂などである。
この目地棒１０１は図３０に示すように、三角形の頂部を切断したような２つの傾斜面を有するほぼクサビ形状で、向きの異なる第１目地棒１０１ａと第２目地棒１０１ｂを交互に配設してある。
これによって、第１・第２目地棒１０１ａ，１０１ｂの数を増減することで径の異なるパイプ１００に対応できる。
【００４６】
前記弾性バンド１０２は、外周面が上向きテーパ面１０２ａ、下向きテーパ面１０２ｂによって断面ほぼく字形状で、この実施の形態ではゴムバンドである。
【００４７】
前記各目地材１０１の上端面に目地棒押え蓋１０３が記載してある。この目地棒押え蓋１０３は横板１０３ａと筒１０３ｂを備え、その横板１０３ａの孔１０３ｃからパイプ１００が上方に突出している。
このパイプ１００の上部に上蓋５の横板５ａが接し、その筒５ｂが目地棒押え蓋１０３の横板１０３ａに当接している。
前記上蓋５の横板５ａの孔５ｃからボルト１０４を挿通してナット８のねじ孔９に螺合し、ロックナット１０５を上蓋５の横板５ａに押しつけることで、上蓋５を介して目地棒押え蓋１０３の横板１０３ａを目地棒１０１の上端面に押しつける。
【００４８】
前述の筒状体１を用いて前述のようにアンカーホールを施工する場合には、コンクリートを流し込んだ後にボルト１０４を弛めて上蓋５を外し、パイプ１００を引き抜きする。
この時、パイプ１００はコンクリートに接していないから、スムーズに引き抜きできる。
【００４９】
パイプ１００を引き抜くことで目地棒１０１（第２目地棒１０１ｂ）が中心に向けて変位し、複数の目地棒１０１が中心に向けて変位するから、容易に取り出しできる。
これとともに弾性バンド１０２を取り出す。
【００５０】
これによって、内周面に断面く字形状の溝を有するアンカーホールが形成され、アンカーを入れてコンクリートを充填した場合に、そのアンカーが抜け難くなる。
【００５１】
前述のパイプ１００と目地棒１０１と弾性バンド１０２で筒体８０とすれば、前述のようにして筒体８０を容易に抜き出しできる。
また、径や長さの異なる筒体８０を簡単に作製できる。
なお、パイプ１００が断面角型の場合には目地棒１０１の断面形状を異ならせて矩形リング形状とすれば良い。
【図面の簡単な説明】
【００５２】
【図１】本発明の第1の実施の形態を示す治具の分解斜視図である。
【図２】均しコンクリートに固定部材を固定する作業説明図であろ。
【図３】固定部材にセパレータを取付ける作業説明図である。
【図４】セパレータに簡状体を取付けた状態の正面図である。
【図５】簡状体の振れ止め状態の正面図である。
【図６】筒状体の振れ止め状態の平面図である。
【図７】簡状体の通り心の墨出し説明図である。
【図８】アンカーホールの断面図である。
【図９】本発明の第2の実施の形態を示す治具の分解斜視図である．
【図１０】固定部材の固定状態の平面図である。
【図１１】固定部材の固定状態の正面図である。
【図１２】固定部材の他の実施の形態を示す正面図である。
【図１３】固定部材の他の実施の形態を示す平面図である。
【図１４】本発明の第3の実施の形態を示す治具の分解斜視図である。
【図１５】固定部材の固定状態の他の実施の形態を示す正面図である。
【図１６】固定部材を配筋に固定状態の正面図である。
【図１７】本発明の第4の実施の形態を示す治具の正面図である。
【図１８】簡状体の平面図である。
【図１９】筒状体の底面図である。
【図２０】アンカーホールの断面図である。
【図２１】振れ止め具の正面図である。
【図２２】振れ止め具の平面図である。
【図２３】使用状態の正面図である。
【図２４】筒状体の他の実施の形態を示す断面図である。
【図２５】筒状体の他の実施の形態を示す正面図である。
【図２６】溝形成用型枠部材の正面図である。
【図２７】施工状態の側面図である。
【図２８】集水ピット形成用型枠部材の一部破断正面図である。
【図２９】筒状体の他の実施の形態を示す正面図である。
【図３０】図２９の横断面図である。
【符号の説明】
【００５３】
1…筒状体（凹陥部形成部材）、2…セパレータ、3…ナット、4…固定部材、5…上蓋、7…螺旋状突起、20…均しコンクリート、22…穴、23…コンクリート基礎、29アンカーホール、32…ねじ穴、33…本体、34…ベースフレーム、37…接着剤、40…引抜きレンチ、50…型枠、51…セパレータ、52…鉄筋、60…テーパ孔、61…引上げ用穴、62…受皿、63…ねじ孔、64…押さえナット、65…支柱、70…簡状体、71…支持脚、73…振れ止め具、90…溝形成用型枠部材（凹陥部形成部材）、95…集水ピット形成用型枠部材（凹陥部形成部材）。
【図１】
2005248456.tif 000003
【図２】
2005248456.tif 000004
【図３】
2005248456.tif 000005
【図４】
2005248456.tif 000006
【図５】
2005248456.tif 000007
【図６】
2005248456.tif 000008
【図７】
2005248456.tif 000009
【図８】
2005248456.tif 000010
【図９】
2005248456.tif 000011
【図１０】
2005248456.tif 000012
【図１１】
2005248456.tif 000013
【図１２】
2005248456.tif 000014
【図１３】
2005248456.tif 000015
【図１４】
2005248456.tif 000016
【図１５】
2005248456.tif 000017
【図１６】
2005248456.tif 000018
【図１７】
2005248456.tif 000019
【図１８】
2005248456.tif 000020
【図１９】
2005248456.tif 000021
【図２０】
2005248456.tif 000022
【図２１】
2005248456.tif 000023
【図２２】
2005248456.tif 000024
【図２３】
2005248456.tif 000025
【図２４】
2005248456.tif 000026
【図２５】
2005248456.tif 000027
【図２６】
2005248456.tif 000028
【図２７】
2005248456.tif 000029
【図２８】
2005248456.tif 000030
【図２９】
2005248456.tif 000031
【図３０】
2005248456.tif 000032